(57)【要約】【課題】  顧客が手形・小切手を金融機関に持ち込むことなく取立依頼を行えるようにする。【解決手段】  顧客側に設置された受付機１０において、手形・小切手を受け付け、受け付けた手形・小切手を読み取って画像データを生成し、当該手形・小切手に固有の受付番号を生成し、それらの画像データおよび受付番号を金融機関コンピュータ１４へ送信する。金融機関コンピュータ１４は、受付機１０から送信された画像データおよび受付番号を受信し、それら画像データおよび受付番号を対応付けて出力する。担当者は、この出力を参照して手形・小切手の点検を行う。そして、回収されてきた手形・小切手について取立処理を行う。【選択図】      図１
2005190006.tif 000002
【特許請求の範囲】
【請求項１】
顧客側に設置された受付機と、金融機関が管理する金融機関コンピュータとにより構成され、
前記受付機は、
手形・小切手を受け付ける受付手段と、
前記受け付けた手形・小切手の画像を読取って画像データ生成する画像生成手段と、
前記受け付けた手形・小切手に固有の受付番号を生成する番号生成手段と、
前記生成した画像データおよび受付番号を前記金融機関コンピュータへ送信する送信手段と、
前記受け付けた手形・小切手を収容する収容庫と、を備え、
前記金融機関コンピュータは、
前記受付機から前記画像データおよび前記受付番号を受信する受信手段と、
前記受信した画像データおよび受付番号を出力する出力手段と、を備えることを特徴とする手形・小切手の取立依頼処理システム。
【請求項２】
顧客側に設置された受付機と、金融機関が管理する金融機関コンピュータとにより構成され、
前記受付機は、
手形・小切手を受け付ける受付手段と、
前記受け付けた手形・小切手の画像を読取って画像データ生成する画像生成手段と、
前記受け付けた手形・小切手に固有の受付番号を生成する番号生成手段と、
前記生成した画像データおよび受付番号を出力する出力手段と、
前記受け付けた手形・小切手を収容する収容庫と、を備え、
前記金融機関コンピュータは、
前記受付機から出力された前記画像データおよび前記受付番号を、該当する顧客のコンピュータから受信する受信手段と、
前記受信した画像データおよび受付番号を出力する出力手段と、を備えることを特徴とする手形・小切手の取立依頼処理システム。
【請求項３】
請求項１又は２記載のシステムにおいて、
前記受付機は、前記画像生成手段が生成した画像データを所定の記録媒体に記録する記録手段を備えることを特徴とするシステム。
【請求項４】
請求項３記載のシステムにおいて、
前記金融機関コンピュータは、前記出力手段が出力した画像データに基づいて行われた点検の結果の入力を受け付ける手段と、該入力された点検結果を示す点検結果情報を該当する顧客の前記受付機に送信する手段とを備え、
前記受付機は、前記金融機関コンピュータから受信した点検結果情報に基づいて手形・小切手の点検結果を表示する手段を備えることを特徴とするシステム。
【請求項５】
請求項４記載のシステムにおいて、前記受付機が備える前記記録手段は、前記受信した点検結果情報に基づいて、不備がある手形・小切手について前記画像データと共に不備がある旨の情報を記録することを特徴とするシステム。
【請求項６】
請求項１〜５のうち何れか１項記載のシステムにおいて、
前記受付機は、前記受付手段により手形・小切手が受け付けられた場合に、手形・小切手の回収を行う所定の業者が管理するコンピュータへ、取立依頼があった旨の信号を送信する手段を備えることを特徴とするシステム。
【請求項７】
請求項１〜６のうち何れか１項記載のシステムにおいて、
前記受付機は、前記生成された受付番号の一覧リストを印刷出力する手段を備えることを特徴とするシステム。
【請求項８】
請求項４又は５記載のシステムにおいて、前記金融機関コンピュータから受信した点検結果情報に基づいて、不備のない手形・小切手と不備のある手形・小切手とに区分して、前記生成された受付番号の一覧リストを印刷出力する手段を備えることを特徴とするシステム。
【請求項９】
請求項１〜８のうち何れか１項記載のシステムにおいて、
前記金融機関コンピュータは、前記受信手段が受信した画像データを所定の記録媒体に記録する手段を備えることを特徴とするシステム。
【請求項１０】
顧客側に設置された受付機と、金融機関が管理する金融機関コンピュータとにより手形・小切手の取立依頼を処理する方法であって、
前記受付機が、
手形・小切手を受け付けるステップと、
前記受け付けた手形・小切手を読み取って画像データを生成する画像生成ステップと、
前記受け付けた手形・小切手に固有の受付番号を生成するステップと、
前記生成した画像データおよび受付番号を、前記金融機関コンピュータへ送信するステップとを実行し、
前記金融機関コンピュータが、
前記受付機から送信された画像データおよび受付番号を受信するステップと、
前記受信した画像データおよび受付番号を出力するステップと、を実行することを特徴とする方法。
【請求項１１】
顧客側に設置された受付機と、金融機関が管理する金融機関コンピュータとにより手形・小切手の取立依頼を処理する方法であって、
前記受付機が、
手形・小切手を受け付けるステップと、
前記受け付けた手形・小切手を読み取って画像データを生成する画像生成ステップと、
前記受け付けた手形・小切手に固有の受付番号を生成するステップと、
前記生成した画像データおよび受付番号を出力するステップとを実行し、
前記金融機関コンピュータが、
前記受付機から出力され送信された前記画像データおよび受付番号を、該当する顧客のコンピュータから受信するステップと、
前記受信した画像データおよび受付番号を出力するステップと、を実行することを特徴とする方法。
【請求項１２】
手形・小切手の取立依頼を受け付けるための取立依頼受付機であって、
手形・小切手を受け付ける受付手段と、
前記受け付けた手形・小切手を読み取って画像データを生成する画像生成手段と、
前記受け付けた手形・小切手に固有の受付番号を生成する番号生成手段と、
前記生成した画像データおよび受付番号を、取立依頼先の金融機関が管理するコンピュータへ送信する送信手段と、
前記受け付けた手形・小切手を収容する収容庫と、を備えることを特徴とする受付機。
【請求項１３】
手形・小切手の取立依頼を受け付けるための取立依頼受付機であって、
手形・小切手を受け付ける受付手段と、
前記受け付けた手形・小切手を読み取って画像データを生成する画像生成手段と、
前記受け付けた手形・小切手に固有の受付番号を生成する番号生成手段と、
前記生成した画像データおよび受付番号を、取立依頼先の金融機関が管理するコンピュータへ送信する送信手段と、
前記受け付けた手形・小切手を収容する収容庫と、を備えることを特徴とする受付機。
【請求項１４】
手形・小切手の取立依頼を受け付けるための取立依頼受付機であって、
手形・小切手を受け付ける受付手段と、
前記受け付けた手形・小切手を読み取って画像データを生成する画像生成手段と、
前記受け付けた手形・小切手に固有の受付番号を生成する番号生成手段と、
前記生成した画像データおよび受付番号を、該当する顧客のコンピュータへ出力する出力手段と、
前記受け付けた手形・小切手を収容する収容庫と、を備えることを特徴とする受付機。
【請求項１５】
請求項１３又は１４記載の取立依頼受付機で受け付けた取立依頼を処理する装置であって、
前記手形・小切手受付機で生成された前記画像データおよび受付番号を受信する受信手段と、
前記受信した画像データおよび受付番号を出力する出力手段と、
前記出力手段が出力した画像データに基づいて行われた点検の結果の入力を受け付ける点検結果入力手段と、
該入力された点検結果を示す点検結果情報を該当する顧客の前記取立依頼受付機に送信する手段と、を備えることを特徴とする取立依頼処理装置。
【発明の詳細な説明】
【技術分野】
【０００１】
本発明は、金融機関への手形・小切手の取立依頼を処理するためのシステムおよび方法、手形・小切手の取立依頼を受け付ける受付機およびこの受付機で受け付けた取立依頼を処理する装置に関する。
【背景技術】
【０００２】
我国では、商取引において代金支払に手形や小切手を用いることが慣行化している。手形・小切手を用いた商取引では、買い手が支払額および支払期日を指定した手形・小切手を振り出して売り手に渡し、売り手はその支払期日の呈示期間中に手形・小切手を支払呈示することにより、手形・小切手と引き換えに現金を受け取ることができる。このような取引によれば、買い手にとっては現金なしで商品等を買い入れることができるという利点がある。しかしながら、売り手（すなわち手形・小切手の受取人）は、支払期日までその手形・小切手を保管し、また、期日を管理する必要もあるなど、保管・期日管理の負担が大きい。
【０００３】
そこで、手形・小切手の受取人は、手形・小切手の保管・期日管理を金融機関に委託すべく、金融機関に対して取立依頼を行うことができる。手形・小切手の取立依頼を受けた金融機関は、依頼人から受け取った手形・小切手を保管し、期日になると支払義務者の取引銀行を通じて手形・小切手の金額を支払人に請求し、取立依頼人の口座に入金する。
【０００４】
これに関連して、特許文献１には、金融機関へ取立依頼を行った手形についてオンラインで手形割引の依頼を行えるようにしたシステムが開示されている。
【特許文献１】特開平２００２−２３０２８２号公報
【発明の開示】
【発明が解決しようとする課題】
【０００５】
従来、金融機関へ手形・小切手の取立依頼を行うには、金融機関の営業時間内に営業店窓口へ手形・小切手を持ち込むことが必要である。しかし、取立依頼のために金融機関へ出向くことは煩わしく、多忙な顧客の場合は、そのような時間を確保すること自体が難しい。また、金融機関へ手形・小切手を持ち込んでも、不備があった場合には、手形・小切手をいったん持ち帰って不備を是正したうえで出直すことが必要となり、二度手間となってしまう。
【０００６】
本発明は上記の点に鑑みてなされたものであり、顧客が手形・小切手を金融機関に持ち込むことなく取立依頼を行えるようにすることを目的とする。
【課題を解決するための手段】
【０００７】
上記の目的を達成するため、本発明は、顧客側に設置された受付機と、金融機関が管理する金融機関コンピュータとにより構成され、
前記受付機は、
手形・小切手を受け付ける受付手段と、
前記受け付けた手形・小切手の画像を読取って画像データ生成する画像生成手段と、
前記受け付けた手形・小切手に固有の受付番号を生成する番号生成手段と、
前記生成した画像データおよび受付番号を前記金融機関コンピュータへ送信する送信手段と、
前記受け付けた手形・小切手を収容する収容庫と、を備え、
前記金融機関コンピュータは、
前記受付機から前記画像データおよび前記受付番号を受信する受信手段と、
前記受信した画像データおよび受付番号を出力する出力手段と、を備えることを特徴とする。
【０００８】
また、本発明は、顧客側に設置された受付機と、金融機関が管理する金融機関コンピュータとにより構成され、
前記受付機は、
手形・小切手を受け付ける受付手段と、
前記受け付けた手形・小切手の画像を読取って画像データ生成する画像生成手段と、
前記受け付けた手形・小切手に固有の受付番号を生成する番号生成手段と、
前記生成した画像データおよび受付番号を出力する出力手段と、
前記受け付けた手形・小切手を収容する収容庫と、を備え、
前記金融機関コンピュータは、
前記受付機から出力された前記画像データおよび前記受付番号を、該当する顧客のコンピュータから受信する受信手段と、
前記受信した画像データおよび受付番号を出力する出力手段と、を備えることを特徴とする。
【０００９】
本発明によれば、顧客側に設置された受付機で手形・小切手を受け付けてその画像データおよび受付番号を生成し、金融機関コンピュータにて画像データと受付番号とを出力する。このため、受付機の収容庫に収容された手形・小切手を金融機関側へ回収するようにすることで、顧客は、手形・小切手を受付機へ投入するだけで、手形・小切手の取立依頼を行える。また、金融機関では、手形・小切手が回収されてくる前であっても、金融機関コンピュータから出力された画像データおよび受付番号に基づいて、各手形・小切手の点検を行うことができる。
【００１０】
また、本発明のシステムにおいて、前記受付機は、前記画像生成手段が生成した画像データを所定の記録媒体に記録する記録手段を備えることとしてもよい。このようにすれば、受付機で記録された画像データを顧客側の控えとして利用することができる。
【００１１】
この場合、前記金融機関コンピュータは、前記出力手段が出力した画像データに基づいて行われた点検の結果の入力を受け付ける手段と、該入力された点検結果を示す点検結果情報を該当する顧客の前記受付機に送信する手段とを備え、前記受付機は、前記金融機関コンピュータから受信した点検結果情報に基づいて手形・小切手の点検結果を表示する手段を備えることとしてもよい。このようにすれば、顧客は取立を依頼した手形・小切手の点検結果を早期に知ることができる。
【００１２】
さらに、前記受付機が備える前記記録手段は、前記受信した点検結果情報に基づいて、不備がある手形・小切手について前記画像データと共に不備がある旨の情報を記録することとしてもよい。
【００１３】
また、本発明のシステムにおいて、前記受付機は、前記受付手段により手形・小切手が受け付けられた場合に、手形・小切手の回収を行う所定の業者が管理するコンピュータへ、取立依頼があった旨の信号を送信する手段を備えることとしてもよい。このようにすれば、回収を行う業者に取立依頼があったことが通知されるので、当該業者は手形・小切手の回収が必要な顧客のもとへ回収に赴くことができる。
【００１４】
また、前記受付機は、前記生成された受付番号の一覧リストを印刷出力する手段を備えることとしてもよい。このようにすれば、回収業者が手形・小切手を回収する際に、印刷出力されたリストを照合して、受け付けられた手形・小切手が揃っていることを確認できると共に、このリストを回収した手形・小切手の現物に添付することで、金融機関においても同様の確認を行うことができる。
【００１５】
また、前記受付機は、前記金融機関コンピュータから受信した点検結果情報に基づいて、不備のない手形・小切手と不備のある手形・小切手とに区分して、前記生成された受付番号の一覧リストを印刷出力する手段を備えることとしてもよい。
【００１６】
また、前記金融機関コンピュータは、前記受信手段が受信した画像データを所定の記録媒体に記録する手段を備えることとしてもよい。このようにすれば、記録した画像データを金融機関の取立控えとして利用できるので、従前のように手形・小切手のマイクロフィルム撮影を行うことが不要になる。
【００１７】
また、本発明は、顧客側に設置された受付機と、金融機関が管理する金融機関コンピュータとにより手形・小切手の取立依頼を処理する方法であって、
前記受付機が、
手形・小切手を受け付けるステップと、
前記受け付けた手形・小切手を読み取って画像データを生成する画像生成ステップと、
前記受け付けた手形・小切手に固有の受付番号を生成するステップと、
前記生成した画像データおよび受付番号を、前記金融機関コンピュータへ送信するステップとを実行し、
前記金融機関コンピュータが、
前記受付機から送信された画像データおよび受付番号を受信するステップと、
前記受信した画像データおよび受付番号を出力するステップと、を実行することを特徴とする。
【００１８】
また、本発明は、顧客側に設置された受付機と、金融機関が管理する金融機関コンピュータとにより手形・小切手の取立依頼を処理する方法であって、
前記受付機が、
手形・小切手を受け付けるステップと、
前記受け付けた手形・小切手を読み取って画像データを生成する画像生成ステップと、
前記受け付けた手形・小切手に固有の受付番号を生成するステップと、
前記生成した画像データおよび受付番号を出力するステップとを実行し、
前記金融機関コンピュータが、
前記受付機から出力され送信された前記画像データおよび受付番号を、該当する顧客のコンピュータから受信するステップと、
前記受信した画像データおよび受付番号を出力するステップと、を実行することを特徴とする。
【００１９】
また、本発明は、手形・小切手の取立依頼を受け付けるための取立依頼受付機であって、
手形・小切手を受け付ける受付手段と、
前記受け付けた手形・小切手を読み取って画像データを生成する画像生成手段と、
前記受け付けた手形・小切手に固有の受付番号を生成する番号生成手段と、
前記生成した画像データおよび受付番号を、取立依頼先の金融機関が管理するコンピュータへ送信する送信手段と、
前記受け付けた手形・小切手を収容する収容庫と、を備えることを特徴とする。
【００２０】
また、本発明は、手形・小切手の取立依頼を受け付けるための取立依頼受付機であって、
手形・小切手を受け付ける受付手段と、
前記受け付けた手形・小切手を読み取って画像データを生成する画像生成手段と、
前記受け付けた手形・小切手に固有の受付番号を生成する番号生成手段と、
前記生成した画像データおよび受付番号を、該当する顧客のコンピュータへ出力する出力手段と、
前記受け付けた手形・小切手を収容する収容庫と、を備えることを特徴とする。
【００２１】
また、上記取立依頼受付機で生成された取立依頼を処理する装置は、
前記手形・小切手受付機から送信された前記画像データおよび受付番号を受信する受信手段と、
前記受信した画像データおよび受付番号を出力する出力手段と、
前記出力手段が出力した画像データに基づいて行われた点検の結果の入力を受け付ける点検結果入力手段と、
該入力された点検結果を示す点検結果情報を該当する顧客の前記取立依頼受付機に送信する手段と、を備えることを特徴とする。
【発明の効果】
【００２２】
本発明によれば、顧客は、手形・小切手を金融機関に持ち込むことなく取立依頼を行うことができる。
【発明を実施するための最良の形態】
【００２３】
図１は、本発明の第１の実施形態であるシステムの全体構成図である。本実施形態では、顧客は自社の営業所等に設置された受付機１０に手形・小切手を投入することで金融機関へ取立依頼を行うことができる。本実施形態において、受付機１０は、金融機関から顧客へ貸与されるものとしている。したがって、受付機１０に投入され収容された手形・小切手は金融機関側の占有物となり、後述するように、金融機関から委託された業者が、受付機１０に収容された手形・小切手を回収することができる。なお、以下の説明では、記載を簡潔にするため、処理対象が手形であるものとして説明するが、小切手についても全く同様に処理が行われる。
【００２４】
図１に示すように、受付機１０は、通信ネットワーク１２を介して、金融機関が管理する金融機関コンピュータ１４に接続されている。なお、通信ネットワーク１２は専用回線であってもよいし、インターネット等の公衆ネットワーク上に構築されたＶＰＮ等の仮想的な専用ネットワークであってもよい。
【００２５】
金融機関コンピュータ１４には手形小切手データベース１６が設けられている。後述するように、手形小切手データベース１６には、受付機１０で受け付けられた手形・小切手の画像データや受付番号等が格納される。また、金融機関コンピュータ１４には、金融機関の手形・小切手業務を行う処理センターに設置された操作端末１８が接続されている。
【００２６】
通信ネットワーク１２には、また、金融機関から手形回収の委託を受けた回収業者のコンピュータ（以下、回収業者コンピュータという）１９が接続されている。後述するように、受付機１０で手形が受け付けられると、手形の取立依頼があったこと（つまり該当する顧客のもとで手形回収に赴くべきこと）を示す情報が回収業者コンピュータ１９へ送信されるようになっている。
【００２７】
図２は、受付機１０の機能ブロック図である。同図に示すように、受付機１０は、受付部２０、画像読取部２２、データ記憶部２４、画像記録部２６、通信部２８、印刷部３０、ユーザインターフェース部３２、これら各部２０〜３２を制御する制御部３４、プログラム記憶部３６、および、収容庫３８を備えている。
【００２８】
受付部２０は、顧客が所定の受付口に投入した手形を受け付ける。画像読取部２２は周知のイメージスキャナー等により構成されており、受付部２０で受け付けられた手形券面を読み取って画像データを生成し、制御部３４へ供給する。画像読取部２２で画像が読み取られた手形は収容庫３８に収容される。
【００２９】
データ記憶部２４は、画像読取部２２が手形を読み取って生成した画像データや、後述する受付番号等のデータを記憶保持する。画像記録部２６は、制御部３４からの指示に応じて、データ記憶部２４に記憶された画像データをＣＤ−ＲやＤＶＤ−Ｒ等の追加記録可能な記録メディアへ記録する。また、通信部２８は、制御部３４からの指示に応じて、各種データを金融機関コンピュータ１４や回収会社コンピュータ１９へ送信する。なお、受付機１０には、該当する顧客の顧客番号が登録されており、通信部２８はこの顧客番号と共にデータを送信する。これにより、金融機関コンピュータ１４や回収会社コンピュータ１９は、受付機１０からデータを受信した場合に、そのデータがどの顧客の受付機１０から送られてきたものであるかを特定することができる。
【００３０】
印刷部３０は、制御部３４からの指示に応じて、受付部２０で受け付けられた手形のリスト（具体的には受付番号のリスト）を印刷して発行する。また、ユーザインターフェース部３２は、例えばタッチパネル式ディスプレイ等で構成されており、制御部３４から指示された内容の画面表示を行い、また、顧客による入力操作を受け付けてその操作内容を制御部３４へ供給する。
【００３１】
制御部３４は例えばＣＰＵにより構成されており、ＲＯＭやハードディスク装置等のプログラム記憶部３６に記憶されたプログラムを読み出して実行することにより上記各部を制御する。
【００３２】
図３は、本実施形態において、顧客が金融機関へ手形の取立依頼を行う場合の処理の流れを示す図である。同図に示すように、手形の取立依頼を行おうとする顧客は、自社の営業店等に設置された受付機１０の受付口に手形を投入する。受付機１０の受付部２０で手形が受け付けられると（Ｓ１００）、その手形の券面画像が画像読取部２２により読み取られて画像データが生成される（Ｓ１０２）。生成された画像データはユーザインターフェース部３２により画面表示され（Ｓ１０４）、顧客はその表示画像を確認したうえで、手形が正しく読み取られたかどうかの確認入力操作を行う。
【００３３】
受付機１０では上記確認入力操作の内容が判別され（Ｓ１０６）、手形が正しく読み取られていない場合は、手形が受付口から排出される（Ｓ１０８）。一方、手形が正しく読み取られていれば、受け付けた手形に固有の受付番号が生成される（Ｓ１１０）。そして、生成された受付番号と画像データとがデータ記憶部２４に記憶される（Ｓ１１２）。また、この受付番号および画像データは通信部２８により、顧客番号と共に金融機関コンピュータ１４へ送信される（Ｓ１１４）。これと共に、回収業者コンピュータ１９へ、顧客番号と受付番号とを含んだ、取立依頼があった旨の信号が送信される（Ｓ１１６）。これにより、回収業者は、受付機１０で取立依頼があったことを検知して、後述するように、該当する顧客のもとへ手形の回収に赴くことができる。
【００３４】
金融機関コンピュータ１４は、受付機１０から上記の受付番号および画像データを受信すると（Ｓ１５０）、これらの受付番号および画像データを互いに関係付けて手形小切手データベース１６に記録する（Ｓ１５２）。処理センターの担当者は、受付機１０で受け付けられた手形に形式不備がないかどうかの形式点検を行うための形式点検操作を行う（Ｓ１５４）。この形式点検操作が行われると、金融機関コンピュータ１４は手形小切手データベース１６から点検処理が済んでいない（つまり点検結果が記録されていない）各手形について画像データおよび受付番号を読み出して操作端末１８の画面に表示させる（Ｓ１５６）。担当者はこの画面表示により各画像データに基づいて手形に不備がないかどうかを点検し、その点検結果を入力する（Ｓ１５８）。そして、各手形についての形式点検結果を示す信号がセンターンコンピュータ１４から該当する顧客の受付機１０へ送信される（Ｓ１６０）と共に、各手形の形式点検結果が手形小切手データベース１６に記録される（Ｓ１６２）。
【００３５】
受付機１０では、金融機関コンピュータ１４から送信されてきた上記信号に基づいて、各手形について受付番号と形式点検結果とがユーザインターフェース部３２により画面表示される（Ｓ１２０）。顧客は、この画面表示を参照することにより、形式不備があった手形を判定することができる。そして、形式不備があった手形について、ユーザインターフェース部３２から所定の取り消し操作を行って、受付機１０の収容庫３８から該当する手形の現物を取り出す。この取り消し操作が行われると、取り消された手形の受付番号が回収会社コンピュータ１９へ送信される。これにより、回収会社では、上記Ｓ１１６の処理により取立依頼の通知を受けた後、取立依頼が取り消された手形を判定することができる。また、データ記憶部２４に記憶されていた画像データが画像記録部２６により記録メディアに記録される（Ｓ１２２）。記録メディアに記録された画像データは、顧客の取立控えとして用いることができる。なお、受付機１０は、形式不備があった手形について、形式不備があった旨のフラグ情報を、該当する画像データに関係付けて記録するものとする。
【００３６】
なお、上記の説明では、手形の形式点検結果が金融機関コンピュータ１４から受付機１０へオンラインで送信されるものとしたが、これに限らず、例えば、金融機関の担当者から顧客へ電話、ＦＡＸや電子メール等で点検結果を通知するようにしてもよい。この場合、顧客が通知された点検結果を受付機１０に入力するようにして、不備のなかった手形の画像データを画像記録部２６により記録することとしてもよく、あるいは、不備の有無にかかわらず、手形を受け付けて画像を読み取った時点でその画像データを記録するようにしてもよい。
【００３７】
回収業者は、受付機１０から受付番号を受信した（つまり手形の取立依頼のあった）顧客のもとへ赴いて、受付機１０の収容庫３８から手形の現物を回収する（Ｓ１６４）。その際、一覧表出力操作を行って、手形の一覧表を印刷出力させる。すなわち、受付機１０において一覧表示出力操作が行われると（Ｓ１６６）、印刷部３０により、データ記憶部２４に記憶された受付番号のリストが印刷され（Ｓ１６８）、これが手形の一覧リストとして出力される。その際、形式不備のない手形と、形式不備がある手形とに区分してリストを出力するものとする。回収業者は、このリストを参照して手形現物が揃っていることを確認のうえ、リストを回収した手形に添付して処理センターまで届ける。なお、受付機１０は、一覧リストが出力されて収容庫３８から回収された手形のデータ（受付番号、画像データ）について、回収済みを表すフラグ情報を記録する。
【００３８】
処理センターでは、担当者が、回収されてきた手形に添付されたリストに基づいて手形の内容を確認したうえで、交換所への持ち出しに必要なマイクロ印字処理を行う（Ｓ１７０）。このマイクロ印字処理では、金融機関コードや各現物に固有のマイクロ印字番号等が印字される。次に、マイクロ印字処理が完了した各手形について、端末操作により取立入金データが作成される。より具体的には、担当者は、金融機関の口座管理を行うホストコンピュータの端末に各手形の支払日、支払金額、受付番号、およびマイクロ印字番号を入力することにより取立入金データの作成操作を行い（Ｓ１７２）、これに応じて、ホストコンピュータは、支払予定日、支払額、受付番号、およびマイクロ印字番号を含む取立入金データを作成する（Ｓ１７４）。手形の取立後には、作成された取立入金データに基づいて支払期日に顧客（取立依頼人）の口座への入金処理等が行われることになる。
【００３９】
金融機関コンピュータ１４は、上記のように作成された取立入金データを参照できるようになっている。そして、この取立入金データと、手形小切手データベース１６に記録された画像データとを受付番号をキーとして照合し、各画像データに該当する取立入金データが作成されているかどうかを判定する（Ｓ１７６）。また、取立入金データが作成されている場合には、画像データに基づいてＯＣＲ（光学式文字認識）によって識別された券面上の支払日および支払金額と、取立入金データの内容とが合致しているかどうかを判定する。
【００４０】
その結果、画像データは存在するのに、それに対応した取立入金データが作成されていない手形の受付番号、および、取立入金データは作成されているがその内容が画像データと合致しない手形の受付番号が、それぞれ抽出されて画面上に一覧表示される（Ｓ１７８）。画像データに対応した取立入金データが作成されていない手形は、受付機１０で受け付けられたにもかかわらず、処理センターへ届いていない手形である。そこで、担当者は回収業者に問い合わせるなどして該当する手形の所在確認を行う。また、画像データと取立入金データが合致していない手形については、担当者は、手形の現物を見て券面上の支払日および支払金額を確認し、必要に応じて取立入金データの内容を修正する。
【００４１】
一方、画像データに対応した正しい取立入金データが作成されている手形については、画像データとマイクロ印字番号とが対応付けてＣＤ−ＲやＤＶＤ−Ｒ等の記録メディアに記録された後、交換所へ持ち出される。このように記録メディアに記録されたデータは金融機関側の持ち出し記録として用いられる。
【００４２】
なお、上記の説明では、金融機関コンピュータ１４とホストコンピュータとが別であるものとしたが、これに限らず、金融機関コンピュータ１４とを共通化し、ホストコンピュータが金融機関コンピュータ１４として機能する構成であってもよい。
【００４３】
支払期日が到来した手形は、交換所へ持ち出されて支払金融機関に対する取立が行われる。この取立の結果（すなわち、取立に応じて支払われたか、あるいは、不渡り等により支払が拒否されて手形が戻ってきたかの結果）は、担当者により操作端末１８から入力され（Ｓ１８０）、金融機関コンピュータ１４から該当する顧客の受付機１０へデータ伝送される（Ｓ１８２）。このデータに基づいて、受付機１０には各手形の取立結果が表示され（Ｓ１８４）、顧客は取立の結果を早期に知ることができる。さらに、取立の結果だけでなく、取立の進捗状況も受付機１０へデータ伝送するようにしてもよい。ただし、従前通り、不渡り等により戻ってきた手形について顧客に電話で連絡を取るようにしてもよい。
【００４４】
以上説明したように、本実施形態によれば、顧客は手形や小切手を受付機１０に投入することで取立依頼を行うことができるので、手形や小切手を金融機関に持ち込んで取立依頼を行う必要がなくなる。このため、顧客は取立依頼のために時間が割かれることがなくなり、日中に金融機関へ赴く時間が取れない多忙な顧客も取立依頼を行えるようになる。
【００４５】
また、受付機１０で受け付けた手形・小切手の画像を読み取って金融機関コンピュータ１４へ送信することで、金融機関の処理センターにて手形・小切手が回収されてくる前に形式不備の点検を行うことができる。そして、その点検結果を受付機１０へデータ伝送することにより顧客に形式点検結果を即座に通知し、顧客は不備のあった手形・小切手を受付機１０から取り出して不備を是正することができる。したがって、従前のように、顧客が金融機関へ持ち込んだ手形・小切手に形式不備があった場合に、持ち帰って不備是正のうえ出直すということが不要となり、この点でも、顧客にとっての利便性が高まる。
【００４６】
また、受付機１０には、取立結果がデータ伝送されて表示されるので、顧客は、不渡りなどの結果を早期に知ることができる。また、取立結果だけではなく、取立の進捗状況も逐次受付機１０へデータ伝送すれば、顧客は取立の進捗状況も早期に知ることが可能となる。
【００４７】
また、手形・小切手の券面画像および受付番号を記録メディアに記録することで、顧客はこれを取立控えとして利用することができるため、自ら取立控えを作成する手間を省くことができる。また、この取立控えとして記録されたデータと、取立結果を示すデータとを受付番号をキーとして照合することにより、例えば、顧客の経理部門における消込み等の管理業務に役立てることも可能になる。
【００４８】
一方、金融機関にとって、従前は、金融機関の各営業店において取立依頼を受け付けていたのに対して、本実施形態では各営業店での受付業務が不要となる。このため、手形・小切手業務を処理センターに集中して、業務の効率化を図ることができる。また、受付機１０で読み取られ、金融機関コンピュータ１４へ伝送されてきた画像データを交換所への持出し記録として用いることができるので、従前のように、手形・小切手のマイクロフィルム撮影を省略することができ、その点でも、業務の効率化を図ることができる。
【００４９】
なお、上記実施形態では、処理センターに回収されてきた手形・小切手の現物を確認しながら、担当者の端末操作により取立入金データを作成するものとした。しかしながら、これに限らず、金融機関コンピュータ１４が手形・小切手の画像データに基づいて、ＯＣＲにより券面に印字された支払日や支払金額を識別し、その識別結果に基づいて取立入金データを自動的に作成するようにしてもよい。この場合、上記図３のＳ１７６〜Ｓ１７８における照合・確認処理に代えて、作成された取立入金データの内容と現物とを担当者が照合することにより、受付機１０で受け付けられた手形・小切手が処理センターへ回収されているか、また、取立入金データが正しく作成されているかの確認が行われることとなる。
【００５０】
次に、本発明の第２の実施形態について説明する。図４は、本発明の第２の実施形態であるシステムの全体構成図である。同図に示すように、本実施形態では、受付機１０は顧客コンピュータ１００に接続されており、生成した手形・小切手の画像データ及び受付番号を顧客コンピュータ１００へ出力する。その他の構成は、上記第１の実施形態と全く同様である。
【００５１】
顧客コンピュータ１００は当該顧客の担当者が操作するコンピュータであり、本実施形態ではインターネットである通信ネットワーク１２を介して金融機関コンピュータ１４にアクセスすることができる。金融機関コンピュータ１４は、各顧客に対してネットワークバンキングのサービスを提供しており、顧客の担当者は、顧客コンピュータ１００から、このネットワークバンキングのＷＥＢページへアクセスすることにより、ネットワークバンキングサービスを利用できる。そして、ネットワークバンキングサービスのメニューには、手形・小切手の取立に関するメニューも含まれており、この手形・小切手取立メニューの中で、受付機１０により生成されて顧客コンピュータ１００へ出力された手形の画像データ及び受付番号を、金融機関コンピュータ１４へ送信できるようになっている。
【００５２】
このように、本実施形態では、既存のインターネットバンキングを利用して、手形の画像データ及び受付番号を顧客コンピュータ１２からインターネットを介して金融機関コンピュータ１４へ送信するようにしているので、各顧客と金融機関コンピュータ１４とを接続するための専用回線が不要となり、システムの導入が簡便となる。
【００５３】
また、本発明の手形・小切手の取立依頼処理を既存のネットワークバンキングのサービスに統合することで、顧客にとって使用し易い総合的なサービスを提供できると共に、ネットワークバンキングサービスの利用価値をより一層高めることができる。
【００５４】
図５は、上記第２実施形態を複数の拠点を有する顧客企業に適用した場合の態様の一例を示す。同図に示すように、１つの顧客企業に本社、支社、工場、海外拠点等、複数の拠点が存在し、夫々に、受付機１０が設置される。各受付機１０で生成された手形・小切手の画像データ及び受付番号、その他手形・小切手に関するドキュメントの画像データが顧客コンピュータ１００からインターネット１２を介して金融機関コンピュータ１４へ送信される。各拠点の受付機１０で受け付けられ手形小切手やドキュメントは、回収業者によって回収される。なお、海外拠点についても、国際運送業者に回収を委託するものとする。また、各拠点の受付機で生成された手形・小切手の画像データや受付番号等のデータを、本社経理部門に集約することにより、当該経理部門にて全社の取立依頼状況を把握することも可能である。
【図面の簡単な説明】
【００５５】
【図１】本発明の第１の実施形態であるシステムの全体構成図である。
【図２】本実施形態における受付機の機能ブロック図である。
【図３】本実施形態において顧客が金融機関へ手形の取立依頼を行う場合の処理の流れを示す図である。
【図４】本発明の第２の実施形態であるシステムの全体構成図である。
【図５】本発明の第２実施形態を複数の拠点を有する顧客企業に適用した場合の態様の一例を示す。
【符号の説明】
【００５６】
１０  受付機
１２  通信ネットワーク
１４  金融機関コンピュータ
１６  手形小切手データベース
１９  回収業者コンピュータ
２０  受付部
２２  画像読取部
２４  データ記憶部
２６  画像記録部
２８  通信部
３０  印刷部
３２  ユーザインターフェース部
３４  制御部
３６  プログラム記憶部
３８  収容庫
１００  顧客コンピュータ
【図１】
2005190006.tif 000003
【図２】
2005190006.tif 000004
【図３】
2005190006.tif 000005
【図４】
2005190006.tif 000006
【図５】
2005190006.tif 000007